(57)【要約】【課題】ミッドフットストライカーおよびフォアフットストライカーに対して、着地時の安定性、衝撃分散性およびグリップ性を向上させ、これらのランナーに好適にアウトソール構造を提供する。【解決手段】アウトソール１の中足部位Ｍから前足部位Ｆにかけてのソール面の外甲側領域において着用者の足の第５趾中足骨ＭＢ５  の下方位置に、接地面Ｇから逃げる方向に傾斜する傾斜面１ａを形成した。傾斜面１ａの傾斜角αは、５〜２０°に設定されている。この場合には、ミッドフットストライカーおよびフォアフットストライカーの着地時に、接地面Ｇに対するソール面の接地面積を拡大でき、これにより、着地時の安定性、衝撃分散性およびグリップ性を向上できる。【選択図】    図２
2004255040.tif 000002
【特許請求の範囲】
【請求項１】
ランニングシューズのアウトソール構造であって、
シューズの踵部分から中足部分をへて前足部分にかけて延設され、踵部位、中足部位および前足部位を有するアウトソールを含むアウトソール構造において、
前記アウトソールの前記中足部位から前記前足部位にかけてのソール面の外甲側領域には、接地面から逃げる方向に傾斜する傾斜面が形成されている、
ことを特徴とするランニングシューズのアウトソール構造。
【請求項２】
請求項１において、
前記傾斜面が、着用者の足の第５趾中足骨の下方位置に配置されている、
ことを特徴とするランニングシューズのアウトソール構造。
【請求項３】
請求項２において、
前記傾斜面が、第５趾中足骨の骨頭部および後端部を含む外甲側領域に配置されている、
ことを特徴とするランニングシューズのアウトソール構造。
【請求項４】
請求項２において、
前記傾斜面が、第５趾中足骨骨頭部を含む外甲側領域に配置されている、
ことを特徴とするランニングシューズのアウトソール構造。
【請求項５】
請求項２において、
前記傾斜面が、第５趾の中足骨骨頭部および末節骨を含む外甲側領域に配置されている、
ことを特徴とするランニングシューズのアウトソール構造。
【請求項６】
請求項１ないし５のいずれかにおいて、
前記傾斜面が形成された前記アウトソールの前記ソール面と前記傾斜面が形成されていない前記アウトソールの前記ソール面との境界が、曲面で連結されている、
ことを特徴とするランニングシューズのアウトソール構造。
【請求項７】
請求項１において、
前記傾斜面が、当該傾斜面を含む前記アウトソールの幅方向横断面において、当該傾斜面が形成されていない前記アウトソールの前記ソール面に対して、５〜２０°の傾斜角をなしている、
ことを特徴とするランニングシューズのアウトソール構造。
【請求項８】
請求項７において、
前記傾斜面の傾斜角が、５〜９°である、
ことを特徴とするランニングシューズのアウトソール構造。
【請求項９】
請求項７において、
前記傾斜面の傾斜角が、１６〜２０°である、
ことを特徴とするランニングシューズのアウトソール構造。
【請求項１０】
請求項１ないし９のいずれかにおいて、
前記傾斜面には、ラスト中心線と略直交する方向に延びる溝または突起が形成されている、
ことを特徴とするランニングシューズのアウトソール構造。
【請求項１１】
請求項１ないし９のいずれかにおいて、
前記傾斜面には、ラスト中心線の前方側から測って鈍角をなす方向に延びる溝または突起が形成されている、
ことを特徴とするランニングシューズのアウトソール構造。
【請求項１２】
請求項１ないし９のいずれかにおいて、
前記傾斜面には、ラスト中心線の前方側から測って鋭角をなす方向に延びる溝または突起が形成されている、
ことを特徴とするランニングシューズのアウトソール構造。
【発明の詳細な説明】
【０００１】
【発明の属する技術分野】
本発明は、ランニングシューズのアウトソール構造に関し、とくに、足の中足部外甲側から着地するランナー（いわゆるミッドフットストライカー）および足の前足部外甲側から着地するランナー（いわゆるフォアフットストライカー）に好適のシューズに関する。
【０００２】
【従来の技術およびその課題】
スポーツシューズの靴底として、特許第２９６８４５１号公報に示すようなものが提案されている。同号公報には、靴底の踵後縁部から着地するランナー（いわゆるヒールストライカー）について、着地時に踵後縁部がエネルギーロスを生じさせることがないように、踵後縁部に平面状のヒールカットエリアを設けたものが示されている。
【０００３】
この場合には、着地時の全荷重をヒールカットエリアで受けるようになって接地面積を拡大でき、これにより、着地時の衝撃を緩和できるとともに、接地面との摩擦抵抗が増大してスリップなどのエネルギーロスの発生を防止できるようになっている。
【０００４】
【特許文献１】
特許第２９６８４５１号公報（第３欄第２７行〜第４欄第５行参照）
【０００５】
しかしながら、前記従来の構造は、ヒールストライカーにのみ適用されるものであって、ヒールストライカー以外のランナーには効果的なものとはいえない。
【０００６】
その一方、比較的高速で走行する駅伝などのランニング競技の場合、ランナーが最先に接地するのは、靴底の踵後縁部ではなく、中足部位から前足部位にかけての外甲側になる傾向があることが分かってきた。
【０００７】
ところが、従来のランニングシューズのアウトソールのソール面は、シューズ幅方向に平坦状に形成されているため、外甲側から着地すると、ソール面の外甲側エッジ部分が接地面と点接触することになる。このため、従来のシューズでは、着地時の安定性に欠けたり、また衝撃分散性やグリップ性が低下する場合があった。
【０００８】
本発明は、このような従来の実情に鑑みてなされたもので、足の中足部外甲側から着地するランナー（ミッドフットストライカー）および足の前足部外甲側から着地するランナー（フォアフットストライカー）に対して、着地時の安定性、衝撃分散性およびグリップ性を向上でき、これらのランナーに好適のランニングシューズ用アウトソール構造を提供することを目的とする。
【０００９】
【課題を解決するための手段】
請求項１の発明は、シューズの踵部分、中足部分および前足部分にそれぞれ対応する踵部位、中足部位および前足部位を有するアウトソールを備えたアウトソール構造である。このアウトソール構造では、アウトソールの中足部位から前足部位にかけてのソール面の外甲側領域に、接地面から逃げる方向に傾斜する傾斜面が形成されている。
【００１０】
請求項１の発明によれば、ミッドフットストライカーやフォアフットストライカーが、アウトソールの中足部から前足部にかけての外甲側から着地する際には、アウトソールの中足部位から前足部位にかけてのソール面の外甲側領域における傾斜面が接地面と接触することになり、これにより、接地面積が増大する。その結果、着地時の安定性を向上できるとともに、衝撃分散性を向上でき、また接地面との摩擦抵抗が増大して、グリップ性を向上できる。
【００１１】
傾斜面は、請求項２の発明に記載されているように、着用者の足の第５趾中足骨の下方位置に配置されているのが好ましい。言い換えれば、請求項３の発明に記載されているように、傾斜面は、第５趾中足骨の骨頭部および後端部を含む外甲側領域に配置されているのが好ましい。
【００１２】
これらの場合には、ミッドフットストライカーおよびフォアフットストライカーの双方に好適のランニングシューズ用アウトソール構造を提供できる。
【００１３】
傾斜面は、請求項４の発明では、第５趾中足骨骨頭部を含む外甲側領域に配置されており、請求項５の発明では、第５趾の中足骨骨頭部および末節骨を含む外甲側領域に配置されている。
【００１４】
これらの場合には、とくにフォアフットストライカーに好適のランニングシューズ用アウトソール構造を提供できる。
【００１５】
請求項６の発明によれば、傾斜面が形成されたアウトソールのソール面と傾斜面が形成されていないアウトソールのソール面とが曲面で連結されている。
【００１６】
この場合には、着地後に、傾斜面からこれにつづく傾斜していないソール面への荷重移動の際に、着用者の足に対して滑らかな接地感を実現できる。
【００１７】
傾斜面を含むアウトソールの幅方向横断面において、傾斜面が形成されていないソール面に対して傾斜面がなす角度は、請求項７の発明に記載されているように、５〜２０°が好ましい。
【００１８】
請求項８の発明では、傾斜面の傾斜角が５〜９°になっており、請求項９の発明では、傾斜面の傾斜角が１６〜２０°になっている。このように傾斜面の傾斜角を二種類に分けたのは、種々のランナーが実際に走行する様子を撮影して解析した結果、この二種類の傾斜角で着地するランナーが多かったことによるものである。
【００１９】
請求項１０の発明によれば、ラスト中心線と略直交する方向に延びる溝または突起が傾斜面に形成されている。この場合には、着地時に傾斜面に対してラスト中心線方向にせん断力が作用する場合に、溝または突起がせん断力と直交する方向に形成されていることによって、この溝または突起により、良好なグリップ性を発揮できる。
【００２０】
請求項１１の発明では、ラスト中心線の前方側から測って鈍角をなす方向に延びる溝または突起が傾斜面に形成されている。この場合には、着地時にラスト中心線から外甲寄りに傾斜する方向のせん断力が傾斜面に作用する場合に、溝または突起がせん断力と直交する方向に形成されていることによって、この溝または突起により、良好なグリップ性を発揮できる。
【００２１】
請求項１２の発明では、ラスト中心線の前方側から測って鋭角をなす方向に延びる溝または突起が傾斜面に形成されている。この場合には、着地時にラスト中心線から内甲寄りに傾斜する方向のせん断力が傾斜面に作用する場合に、溝または突起がせん断力と直交する方向に形成されていることによって、この溝または突起により、良好なグリップ性を発揮できる。
【００２２】
【発明の実施の形態】
以下、本発明の実施態様を添付図面に基づいて説明する。
図１ないし図５は、本発明によるランニングシューズのアウトソール構造を説明するための図であって、図１はアウトソールの底面図、図２は図１のＩＩ−ＩＩ  線断面図、図３はミッドフットストライカーの着地時の足圧分布図、図４はフォアフットストライカーの着地時の足圧分布図、図５はフォアフットストライカーの足圧分布図に３種類のランナーにおけるせん断力の作用方向を書き加えたものであって、（ａ）はトウインタイプのランナーの場合を、（ｂ）は標準的なランナーの場合を、（ｃ）はトウアウトタイプのランナーの場合をそれぞれ示している。
【００２３】
図１に示すように、このランニングシューズのアウトソール１は、シューズの踵部分、中足部分および前足部分にそれぞれ対応する踵部位Ｈ、中足部位Ｍおよび前足部位Ｆを有している。アウトソール１の先端には、シューズの甲被部のつま先部に接着される巻上げ部１ｄが設けられている。
【００２４】
アウトソール１のソール面には、中足部位Ｍから前足部位Ｆにかけての領域に、幅方向に波状に延びる複数の溝１０が形成されている。言い換えれば、隣り合う各溝２の間には、幅方向に波状に延びる凸条部１１が形成されている。図１中の一点鎖線Ｌは、シューズの実質的な中心線であるラスト中心線を示しており、溝１０および凸条部１１は、ラスト中心線Ｌと実質的に直交する方向に延びている。
【００２５】
アウトソール１の中足部位Ｍから前足部位Ｆにかけてのソール面の外甲側領域には、傾斜面１ａが形成されている。この傾斜面１ａは、図２の幅方向横断面図に示すように、ソール面の接地時に接地面Ｇから逃げる方向に、つまり傾斜面１ａが形成されていないソール面１ｂを幅方向に延長した面から上方に、傾斜している。傾斜面１ａの傾斜角（逃げ角）αは、５〜２０°の範囲に設定される。より具体的には、傾斜角αは、当該シューズを着用するランナーの特性に応じて、５〜９°または１６〜２０°に設定される。なお、図２中、参照符号２は、アウトソール１が接着されるミッドソールを示しており、参照符号３は、ミッドソール２がその下面に固着される甲被部を示している。
【００２６】
傾斜面１ａと当該傾斜面１ａが形成されていないソール面１ｂとの境界Ｃにおいては、各面１ａ，１ｂがそのまま連結されていてもよいし、または曲面を介して各面１ａ，１ｂが滑らかに接続されるようにしてもよい。
【００２７】
次に、傾斜面１ａが形成される領域について、図３および図４を用いて説明する。図３に示すように、ミッドフットストライカーの場合、着地時には、足の第５趾中足骨ＭＢ５  の後端部の足圧が他の部分よりも高くなっていることが分かる。一方、図４に示すように、フォアフットストライカーの場合、着地時には、第５趾中足骨ＭＢ５  の骨頭部の足圧が他の部分よりもとくに高くなっていることが分かる。
【００２８】
したがって、ミッドフットストライカーおよびフォアフットストライカーの双方に適用可能なアウトソール構造として、傾斜面１ａが形成される領域は、着用者の足の第５趾中足骨ＭＢ５  の下方位置であり、より具体的には、第５趾中足骨ＭＢ５  の骨頭部および後端部を含む外甲側領域であるといえる。図３および図４中に示した境界Ｃは、このような領域をカバーしている。
【００２９】
図４においては、傾斜面１ａと当該傾斜面１ａが形成されていないソール面１ｂとの境界として、境界Ｃ′を採用するようにしてもよい。この境界Ｃ′は、第５趾の中足骨ＭＢ５  骨頭部および末節骨ＤＰ５  を含む外甲側領域をカバーしている。あるいは、第５趾中足骨ＭＢ５  骨頭部を含む外甲側領域をカバーするように、境界を定めるようにしてもよい。
【００３０】
次に、本実施態様の作用効果について説明する。
上述のように、本実施態様に係るアウトソール構造では、アウトソール１のソール面の外甲側領域に傾斜面１ａが形成されているので、ミッドフットストライカーやフォアフットストライカーが、アウトソールの中足部位Ｍから前足部位Ｆにかけての外甲側領域から着地する際には、傾斜面１ａの一部または全体が接地面Ｇと接触することになり、これにより、接地面積が増大する。その結果、着地時の安定性を向上できるとともに、衝撃分散性を向上でき、また接地面との摩擦抵抗が増大して、グリップ性を向上できるようになる。
【００３１】
この場合において、傾斜面１ａと当該傾斜面１ａが形成されていないソール面１ｂとの境界として、境界Ｃを採用した場合には、ミッドフットストライカーおよびフォアフットストライカー（とりわけミッドフットストライカー）の着地時に接地面積を効果的に拡大でき、境界Ｃ′を採用した場合には、フォアフットストライカーの着地時に接地面積を効果的に拡大できる。
【００３２】
また、この場合において、傾斜面１ａの傾斜角αとして、着用者の特性に応じた角度に適宜設定することにより、さらに効果的に着地時の接地面積を拡大できるようになる。
【００３３】
さらに、この場合において、傾斜面１ａと当該傾斜面１ａが形成されていないソール面１ｂとの境界が曲面で連結されている場合には、着地後に、傾斜面１ａからこれにつづく傾斜していないソール面１ｂへの荷重移動の際に、着用者の足に対して滑らかな接地感を実現できる。
【００３４】
なお、図１では、ソール面に形成された溝１０および凸条部１１がラスト中心線Ｌと略直交する方向に延びている例を示したが、この場合には、図５（ｂ）に示すように、着地時に傾斜面１ａに対してラスト中心線Ｌと平行な方向にせん断力Ｓが作用するような標準的なランナーに好適のアウトソール構造を実現できる。
【００３５】
すなわち、この場合には、溝１０および凸条部１１がせん断力Ｓと直交する方向に形成されていることによって、この溝１０および凸条部１１がせん断力の受圧面として作用し、これにより、良好なグリップ性を発揮できる。
【００３６】
一方、図５（ａ）は、せん断力Ｓがラスト中心線Ｌから外甲寄りに傾斜して作用する、いわゆるトウインタイプのランナーの例を示している。この場合には、溝１０および凸条部１１を、ラスト中心線Ｌの前方側から測って鈍角をなす方向に延びるように形成することにより、溝１０および凸条部１１がせん断力Ｓと直交するように配置される。
【００３７】
したがって、この場合においても、走行時には、溝１０および凸条部１１がせん断力Ｓの受圧面として効果的に作用し、これにより、この溝１０および凸条部１１による良好なグリップ性を発揮できる。
【００３８】
また、図５（ｃ）は、せん断力Ｓがラスト中心線Ｌから内甲寄りに傾斜して作用する、いわゆるトウアウトタイプのランナーの例を示している。この場合には、溝１０および凸条部１１を、ラスト中心線Ｌの前方側から測って鋭角をなす方向に延びるように形成することにより、溝１０および凸条部１１がせん断力Ｓと直交するように配置される。
【００３９】
したがって、この場合においても、走行時には、溝１０および凸条部１１がせん断力Ｓの受圧面として効果的に作用し、これにより、この溝１０および凸条部１１による良好なグリップ性を発揮できる。
【００４０】
【発明の効果】
以上のように本発明によれば、アウトソールの中足部位から前足部位にかけてのソール面の外甲側領域に、接地面から逃げる方向に傾斜する傾斜面を形成するようにしたので、ミッドフットストライカーおよびフォアフットストライカーに対して着地時の安定性、衝撃分散性およびグリップ性を向上でき、ミッドフットストライカーおよびフォアフットストライカーに好適のランニングシューズ用アウトソール構造を提供できる効果がある。
【図面の簡単な説明】
【図１】本発明の一実施態様によるランニングシューズ（とくにミッドフットストライカー用ランニングシューズ）のアウトソールの底面図であって、ソール面を示している。
【図２】図１のＩＩ−ＩＩ  線断面図である。
【図３】ミッドフットストライカーの着地時の足圧分布を、ソール面のすべり方向を示す矢印とともに示す図である。
【図４】フォアフットストライカーの着地時の足圧分布を、ソール面のすべり方向を示す矢印とともに示す図である。
【図５】フォアフットストライカーの足圧分布図に３種類のランナーにおけるせん断力Ｓの作用方向を書き加えたものであって、（ａ）はトウインタイプのランナーの場合を、（ｂ）は標準的なランナーの場合を、（ｃ）はトウアウトタイプのランナーの場合をそれぞれ示している。
【符号の説明】
１：  アウトソール
１ａ：  傾斜面
１ｂ：（傾斜面のない）ソール面
１０：  溝
１１：  凸条部（突起）
Ｈ：  踵部位
Ｍ：  中足部位
Ｆ：  前足部位
α：  傾斜角
Ｇ：  接地面
Ｃ，Ｃ′：  境界
ＭＢ５  ：  第５中足骨
ＤＰ５  ：  第５末節骨
【図１】
2004255040.tif 000003
【図２】
2004255040.tif 000004
【図３】
2004255040.tif 000005
【図４】
2004255040.tif 000006
【図５】
2004255040.tif 000007